(57)【要約】【課題】電位治療を行いながら動くことが可能な電位治療器を提供する。【解決手段】高圧電位を生成して供給する治療器本体１１と、治療器本体を取り付けた、治療器本体で生成した高圧電位を治療対象に加えるための通電マット２を具備し、治療器本体は、バッテリーと、バッテリーから供給された電源を所定電圧の直流電源に変換するＤＣ／ＤＣコンバータと、ＤＣ／ＤＣコンバータから供給された直流電源を用いて所定の電圧の波形を生成する電圧制御手段と、電圧制御手段から出力された電源を高圧に変換して通電マットに出力するための高圧電位発生手段を具備し、通電マットは、治療器本体を設置する絶縁領域４と、治療器本体からの電位の供給を受けて治療対象に電位を加える通電領域３を有し、円筒形状に変形自在であるとともに円筒形状に変形させた状態を維持する係止手段７を有している。【選択図】図１
2019092952.tif 000002
【特許請求の範囲】
【請求項１】
治療対象に対して高圧の電位を加えて電位治療を行うために用いられる装着型電位治療器であって、
高圧電位を生成して供給する治療器本体（１１）と、
該治療器本体（１１）を取り付けた、前記治療器本体（１１）で生成した高圧電位の供給を受けて治療対象に電位治療を行うための通電マット（２）と、を具備して、
前記治療器本体（１１）は、
バッテリー（１３）と、
該バッテリー（１３）から供給された直流電源を所定の電圧の直流電源に変換するためのＤＣ／ＤＣコンバータ（１４）と、
該ＤＣ／ＤＣコンバータ（１４）から供給された直流電源を用いて所定の電圧の波形を生成して出力する電圧制御手段（１６）と、
該電圧制御手段（１６）により所定の電圧に変換された電源を高圧の直流又は交流に変換して前記通電マット（２）に出力するための高圧電位発生手段（２３）と、
前記電圧制御手段（１６）及び高圧電位発生手段（２３）の作動を制御する制御手段（１２）と、を具備し、
前記電圧制御手段（１６）は、
前記バッテリー（１３）よりメイン電源としての所定電圧の直流が供給されるトランジスタ（１７）と、
前記制御手段（１２）からの制御信号に応じて前記トランジスタ（１７）のスイッチングを行う制御用ＩＣ（２０）と、
前記トランジスタ（１７）からの電源の入力を受けて、該入力された電源を所定の電圧に生成する平滑回路（１９）と、を具備し、
前記高圧電位発生手段（２３）は、
前記電圧制御手段（１６）の出力をパルス状に変換するパルス変換回路（２５）と、該パルス変換回路（２５）で変換したパルス状の波形を高圧に変換するトランス（２６）と、を有する高電圧生成回路（２４）と、
該高電圧生成回路（２４）の出力波形を所定の倍率で逓倍する逓倍回路（２７）と、
治療対象に交流を加えるときには、前記逓倍回路（２７）で所定の倍率に逓倍されたプラス波形とマイナス波形のそれぞれの信号について、交互にする出力するとともに、出力したプラス波形とマイナス波形のゼロ点を合成することで交流波形を生成して出力し、治療対象に直流を加えるときには、逓倍回路（２７）で所定の倍率で逓倍されたマイナス側波形を用いて直流波形を生成して出力する出力制御回路（２８）と、を具備し、
前記通電マット（２）は、前記治療器本体（１１）を設置するための絶縁領域（４）と、前記治療器本体（１１）からの電位の供給を受けて治療対象に電位を加えるための通電領域（３）を有し、円筒形状に変形自在であるとともに円筒形状に変形させた状態を維持する係止手段（７）を有している、ことを特徴とする装着型電位治療器。
【請求項２】
前記係止手段（７）が面ファスナーであることを特徴とする請求項１に記載の装着型電位治療器。
【発明の詳細な説明】
【技術分野】
【０００１】
本発明は、治療対象に高圧の直流または交流の電位を加えることにより電位治療を可能とした電位治療器に係り、より詳しくは、治療器を治療対象に装着した状態で電位治療を行うことを可能にした装着型電位治療器に関する。
【背景技術】
【０００２】
従来から、頭痛、肩こり、不眠等を治療するための装置として、血液循環をよくして体質改善に効果を有する高圧電位治療器が用いられている。そして、この高圧電位治療器は、治療対象の身体に高圧の電位を加える装置であり、この高圧電位治療器を用いて治療を行うことにより、治療対象は、血液循環が良くなり体質が改善され、頭痛、肩こり、不眠等を無くする効果が期待できる。
【０００３】
しかしながら、高圧電位治療器は供給された電源電圧を高圧に変換して出力するものであり、この高圧に変換する方法として従来は、大型のトランスを用いていたために、治療器全体が大型化、重量化してしまっていた。
【０００４】
そのために、従来の高圧電位治療器では、専用の椅子を用いて座った状態で治療を受ける方法や、あるいは、布団の上に設置して、就寝中に治療を行うことが行われていた。従って、従来の電位治療器では、治療を行っているときは治療に専念しなければならず、家事等の用事を行いながらの治療はできなかった。
【０００５】
この点、本出願人は過去において、入力電源の電圧を予め設定した電圧に制御し、その後に、この電源を高圧の直流又は交流に変換することで、大型のトランスを用いずに電源電圧を高圧に変換可能としたデジタル型の高圧電位治療器を提案しているが、この場合でも、電源コード等を有しているために、家事等を行いながらの治療は困難であった。
【０００６】
また、最近になり、犬、猫等のペットへの電位治療が検討され始めているが、前述のように、従来の電位治療器は、治療器全体が大型で重量があるために椅子等に設置して使用しなければならないところ、犬、猫等の動物では、椅子や布団上で治療を行った場合でも、すぐに動いてしまうために、効果的な電位治療を行うことは不可能である。
【先行技術文献】
【特許文献】
【０００７】
【特許文献１】特開２００５−４０２４１号公報
【特許文献２】特開２００７−１１７６０６号公報
【特許文献３】特開２０１２−２４１２８号公報
【特許文献４】特開２０１７−６４２２号公報
【発明の概要】
【発明が解決しようとする課題】
【０００８】
そこで、本発明は、家事等を行いながらの電位治療やペットへの電位治療を可能にした、装着型電位治療器を提供することを課題としている。
【課題を解決するための手段】
【０００９】
本発明の装着型電位治療器は、治療対象に対して高圧の電位を加えて電位治療を行うために用いられる装着型電位治療器であって、
高圧電位を供給する治療器本体と、
該治療器本体を取り付けた、前記治療器本体で生成した高圧電位の供給を受けて治療対象に電位治療を行うための通電マットと、を具備して、
前記治療器本体は、
バッテリーと、
該バッテリーから供給された直流電源を所定の電圧の直流電源に変換するためのＤＣ／ＤＣコンバータと、
該ＤＣ／ＤＣコンバータから供給された直流電源を用いて所定の電圧の波形を生成して出力する電圧制御手段と、
該電圧制御手段により所定の電圧に変換された電源を高圧の直流又は交流に変換して前記通電マットに出力するための高圧電位発生手段と、
前記電圧制御手段及び高圧電位発生手段の作動を制御する制御手段と、を具備し、
前記電圧制御手段は、
前記バッテリーよりメイン電源としての所定電圧の直流が供給されるトランジスタと、
前記制御手段からの制御信号に応じて前記トランジスタのスイッチングを行う制御用ＩＣと、
前記トランジスタからの電源の入力を受けて、該入力された電源を所定の電圧に生成する平滑回路と、を具備し、
前記高圧電位発生手段は、
前記電圧制御手段の出力をパルス状に変換するパルス変換回路と、該パルス変換回路で変換したパルス状の波形を高圧に変換するトランスを有する高電圧生成回路と、
該高電圧生成回路の出力波形を所定の倍率で逓倍する出力する逓倍回路と、
治療対象に交流を加えるときには、逓倍回路で所定の倍率に逓倍されたプラス波形とマイナス波形のそれぞれの信号について、交互に出力するとともに、出力したプラス波形とマイナス波形のゼロ点を合成することで交流波形を生成して出力し、治療対象に直流を加えるときには、所定の倍率で逓倍されたマイナス側波形を用いて直流波形を生成して出力する出力制御回路と、を具備し、
治療対象に交流を加えるときには、前記逓倍回路で所定の倍率に逓倍されたプラス波形とマイナス波形を交互にする出力するとともに、出力したプラス波形とマイナス波形についてゼロ点を合成することで交流波形を生成して出力し、治療対象に直流を加えるときには、逓倍回路で所定の倍率で逓倍されたマイナス側波形を用いて直流波形を生成して出力する出力制御回路と、を具備し、
前記通電マットは、前記治療器本体を設置するための絶縁領域と、前記治療器本体からの電位の供給を受けて治療対象に電位を加えるための通電領域を有しており、円筒形状に変形自在であるとともに円筒形状に変形させた状態を維持する係止手段を有している、ことを特徴としている。
【発明の効果】
【００１０】
本発明の装着型電位治療器は、高圧電位を供給する治療器本体を通電マットに取り付けている。そして、通電マットは、絶縁領域と通電領域を有しており、絶縁領域に治療器本体を設置し、通電領域は、絶縁領域に設置した治療器本体からの電位の供給を受けて治療対象に電位を加えるために用いられる。更に、通電マットは、円筒形状に変形自在であるとともに円筒形状に変形させた状態を維持する係止手段を有している。そのために、通電マットを腕や胴に巻きつけることで、家事等を行いながらの電位治療や、ペットへの電位治療を行うことが可能である。そしてこのとき、本発明の装着型電位治療器では、治療器本体の電源としてバッテリーを用いており、治療器から電線が出ることが無いために、治療器本体を付けた状態で動くことができ、更に、ペットも治療を行いながら自由に動き回ることが可能となる。
【図面の簡単な説明】
【００１１】
【図１】本発明の装着型電位治療器の実施例の平面図である。
【図２】本発明の装着型電位治療器の実施例の側面図である。
【図３】本発明の装着型電位治療器の実施例の作用を説明するための図である。
【図４】本発明の装着型電位治療器の実施例における治療器本体の回路構成を示したブロック図である。
【図５】本発明の装着型電位治療器の実施例における電圧制御手段の構成を示したブロック図である。
【図６】本発明の装着型電位治療器の実施例における高圧電位発生手段の構成を示したブロック図である。
【図７】本発明の装着型電位治療器の実施例の作用を説明するためのフローチャートである。
【図８】本発明の装着型電位治療器の実施例における電圧制御手段の出力例である。
【図９】本発明の装着型電位治療器の実施例における高電圧生成回路の出力例である。
【図１０】本発明の装着型電位治療器の実施例における逓倍回路の出力例である。
【図１１】本発明の装着型電位治療器の実施例における出力制御回路の制御波形を示した図である。
【図１２】本発明の装着型電位治療器の実施例における出力制御回路の出力例であり、
【発明を実施するための形態】
【００１２】
本発明の装着型電位治療器では、高圧電位を供給する治療器本体と、この治療器本体を取り付けた通電マットを具備している。そして、通電マットは、治療器本体で生成した高圧電位の供給を受けて治療対象に電位治療を行うために用いられ、治療器本体を設置するための絶縁領域と、治療器本体からの電位の供給を受けて治療対象に電位を加えるための通電領域を有しており、円筒形状に変形自在であるとともに円筒形状に変形させた状態を維持する係止手段を有している。
【００１３】
また、治療器本体は、電源としてバッテリーを備えており、このバッテリーには、バッテリーから供給された直流電源を所定の電圧の直流電源に変換するためのＤＣ／ＤＣコンバータが接続されている。
【００１４】
そして、ＤＣ／ＤＣコンバータには、ＤＣ／ＤＣコンバータにおいて所定電圧の直流に変換された電源の電圧を所定の電圧に制御するための電圧制御手段が接続されている。
【００１５】
また、電圧制御手段には、電圧制御手段において所定の電圧に変圧された電源を高圧の直流又は交流に変換して出力するための高圧電位発生手段が接続されている。
【００１６】
更に、本発明の装着型電位治療器では、電圧制御手段及び高圧電位発生手段の作動を制御する制御手段を具備している。
【００１７】
そして、電圧制御手段は、ＤＣ／ＤＣコンバータより所定の電圧の直流が供給されるトランジスタと、制御手段からの制御信号に応じて、前記トランジスタのスイッチングを行う制御用ＩＣと、トランジスタからの電源の入力を受け、入力された電源を所定の電圧に生成する平滑回路を具備し、この構成により、ＤＣ／ＤＣコンバータより供給される直流を用いて所定の電圧の波形を生成して出力することとしている。
【００１８】
また、高圧電位発生手段は、高電圧生成回路を有しており、この高電圧生成回路は、電圧制御手段の出力をパルス状に変換するパルス変換回路と、パルス変換回路で変換したパルス状の波形を高圧に変換するトランスを有している。
【００１９】
そして、高電圧生成回路には、逓倍回路が接続されており、この逓倍回路は、高電圧生成回路の出力波形を所定の倍率で逓倍する。
【００２０】
次に、逓倍回路には出力制御回路が接続されており、この出力制御回路は、治療対象に交流を加えるときには、逓倍回路で所定の倍率に逓倍されたプラス波形とマイナス波形のそれぞれの信号を交互に出力し、更に、交互に出力した波形のゼロ点を合成することで交流波形を生成して出力し、治療対象に直流を加えるときには、逓倍回路で所定の倍率で逓倍されたマイナス側波形を用いて直流波形を生成して出力する機能を有する。
【００２１】
ここで、通電マットに備えた係止手段は、通電マットを円筒形状に変形させた状態で維持する手段でればいずれでもよいが、例えば面ファスナーを用いると良い。
【実施例１】
【００２２】
本発明の装着型電位治療器（以下単に「電位治療器」という。）の実施例について図面を参照して説明すると、図１は本実施例の電位治療器の平面図、図２は本実施例の電位治療器の側面図、図３は本実施例の電位治療器の使用方法を説明するための図である。
【００２３】
そして、図において１が本実施例の電位治療器であり、本実施例の電位治療器１は、通電マットを有している。そして、この通電マット上には、高圧電位を生成してこの生成した高電圧を通電マットに供給するための治療器本体が取り付けられており、通電マットを身体に装着することで、家事等を行いながらの電位治療や、ペットへの電位治療を行うことを可能としている。
【００２４】
即ち、図において２が通電マットであり、本実施例において前記通電マット２は、長方形状としており、ビニール製カバーの上に銅箔を具備して、更にその上に樹脂製シートを重ねた構成とし、樹脂製シート側を表面側として、全体を導電性としている。
【００２５】
また、通電マット２の表面側の中央部分には絶縁体を具備しており、この絶縁体を具備した領域を絶縁領域４として、絶縁領域４の周囲を通電領域３としている。
【００２６】
次に、図において１１は治療器本体である。即ち、本実施例の電位治療器１では、前記絶縁領域４上に治療器本体１１を取り付けており、導線５を介して、治療器本体１１で生成した高電圧を通電領域３に供給可能としている。なお、図において６はアースである。
【００２７】
次に、図３において、前記通電マット２は、治療器本体１１側を上にした状態で、円筒形状に変形自在としており、これにより、本実施例の電位治療器１を腕や胴に巻きつけることで、家事を行いながらの電位治療を可能にしている。また、犬や猫等のペットの胴に巻きつけることで、動き回る犬、猫等の動物に対しても電位治療を行うことができ、従来の電位治療器では不可能であったペットに対する電位治療を行うことが可能である。
【００２８】
なお、図１において７は面ファスナーである。即ち、本実施例において前記通電マットには、係止手段としての面ファスナー７が、表面側の端部分に具備されており、裏面側において、通電マット２を円筒形状に変形させたときに、前記面ファスナー７が対向する箇所には広範囲に、面ファスナー等の、前記面ファスナー７に係止可能な素材が具備されている。従って、この面ファスナー７によって、通電マット２を円筒形状に変形させた状態を維持することが可能であるとともに、通電マットの裏面における前記面ファスナー７が対向する箇所には広範囲に亘って、前記面ファスナー７に係止可能な素材が具備されているため、円筒形状に変形させた状態を維持したときの径を自由に調整することが可能である。但し、係止手段は必ずしも面ファスナーである必要は無く、互いに係止可能であればいずれの手段を用いてもよく、テープ、紐によって、円筒形状に変形させた状態を維持することとしても良い。
【００２９】
次に、前記治療器本体１１について図を参照して説明すると、図４は、本実施例の電位治療器１の回路構成を説明するためのブロック図であり、図４に示す電位治療器１では、直流と交流を治療対象の選択に基づいて切り替え可能なものとしている。
【００３０】
即ち、本実施例の電位治療器１では、制御手段としてのマイコン１２を備えており、本実施例においてこのマイコン１２には、電源スイッチ３１、交流直流の選択や各種設定を行うモードスイッチ３２と、治療開始を行うための開始スイッチ３３、表示手段３４と、音声発生手段としてのスピーカー３５、等が接続されており、表示手段３４における表示、及びスピーカー３５によるブザー等を参考にしながら、モードスイッチ３２により交流直流の選択、電圧値等を設定可能としている。そして、本実施例において設定可能な電圧値は、最高約１，０００Ｖとしている。
【００３１】
次に、本実施例の電位治療器１の回路構成について説明すると、図４において１３は電源としてのバッテリーである。即ち、本実施例の電位治療器１ではバッテリーを電源として用いており、このバッテリー１３を治療器本体１１に搭載している。従って、電源供給のための電線が電位治療器１から出て邪魔になることが無いために、電位治療器１を付けた状態で動くことができ、更に、ペットに装着した場合でも、ペットが自由に動き回ることが可能になる。
【００３２】
次に、前記バッテリー１３にはメイン電源用ＤＣ／ＤＣコンバータ１４と、制御電源用ＤＣ／ＤＣコンバータ１５が接続されており、制御電源用ＤＣ／ＤＣコンバータ１５においては、バッテリー１３から供給された直流電源を、直流３．３Ｖに変換し、この変換した直流３．３Ｖを前記マイコン１２に供給する。
【００３３】
一方、前記メイン電源用ＤＣ／ＤＣコンバータ１４においては、バッテリー１３から供給された直流電源が任意の電圧に変換され、この任意の電圧に変換された電源がメイン電源とさる。そして、このメイン電源は、メイン電源用ＤＣ／ＤＣコンバータ１４に接続された電圧制御手段１６に供給され、電圧制御手段１６においては、前記メイン電源用ＤＣ／ＤＣコンバータ１４より供給されるメイン電源が、任意の値に変換される。
【００３４】
そして、本実施例において前記電圧制御手段１６は、前記マイコン１２の制御により、前記メイン電源用ＤＣ／ＤＣコンバータ１４から出力されたメイン電源を、任意の電圧に変換して出力する。即ち、交流を出力する場合には、直流を、サイン波を分解したような波形に変換して出力し、直流を出力する場合は、直流が出力される。なお図８は、交流を出力する場合の電圧制御手段１６の出力波形を示す図である。
【００３５】
ここで、前記メイン電源として直流２４Ｖが前記電圧制御手段１６に供給された場合を想定して、前記電圧制御手段１６の構成について図５を参照して説明すると、本実施例において前記電圧制御手段１６は、第１のトランジスタ１７と、第２のトランジスタ１８を有しており、第１及び第２のトランジスタ１７、１８はいずれも、ＦＥＴ（電界効果トランジスタ、以下単に「トランジスタ」という。）を用いている。
【００３６】
そして、メイン電源用ＤＣ／ＤＣコンバータ１４から供給される直流２４Ｖのメイン電源は、前記第１のトランジスタ１７に供給され、第１のトランジスタ１７の出力は、平滑回路１９及び前記第２のトランジスタ１８に供給され、第２のトランジスタ１８の出力はアースに流れることとしている。
【００３７】
また、前記第１のトランジスタ１７及び第２のトランジスタ１８のゲートにはそれぞれ、第１の制御用ＩＣ２０と、第２の制御用ＩＣ２１が接続されている。そして、前記第１の制御用ＩＣ２０と第２の制御用ＩＣ２１は、前記マイコン１２に接続されており、マイコン１２からの制御信号を受け、前記第１のトランジスタ１７及び第２のトランジスタ１８のゲートに電源を供給し、それにより、前記第１のトランジスタ１７及び第２のトランジスタ１８のスイッチングを行うこととしている。
【００３８】
そのため、本実施例の高圧電位治療器では、マイコン１２から供給される制御信号のＯＮとＯＦＦの時間を細かく制御することで、第１のトランジスタ１７のスイッチングを細かく行い、それにより、第１のトランジスタ１７から出力されるメイン電源の供給時間を制御し、平滑回路１９から出力される電源の電圧を任意の電圧に制御することが可能である。
【００３９】
そして、第１のトランジスタ１７のスイッチング方法として、本実施例では、マイコン１２からの制御信号を第１の制御用ＩＣ２０に供給するとともに、第２の制御用ＩＣ２１には制御用信号を供給しないことで、メイン電源の直流２４Ｖを第１のトランジスタ１７から出力し、一方、マイコン１２からの制御信号を第２の制御用ＩＣ２１に供給するとともに、第１の制御用ＩＣ２０には制御用信号を供給しないことで、第１のトランジスタ１７からの出力を停止し、第２のトランジスタ１８によりアースに接続する。
【００４０】
従って例えば、特定時間を例にとって、前記第１のトランジスタ１７の出力を見ると、５０％をＯＮにし、５０％をＯＦＦにした場合には、平滑回路１９からの出力は１２Ｖとなり、２５％をＯＮにして７５％をＯＦＦにした場合には、平滑回路１９からの出力は６Ｖになり、更に、７５％をＯＮにして２５％をＯＦＦにした場合には、平滑回路９からの出力は１８Ｖになる。そのため、本実施例においては、前記制御用ＩＣ２０、２１を制御してトランジスタ１７、１８のスイッチングを行うことで、メイン電源の２４Ｖを任意の電圧に変換することが可能となる。また、本実施例の電位治療器では、従来の高圧電位治療器と異なり、ラダー回路を用いておらず、マイコン１２からのデジタル信号をアナログに変換すること無く制御用ＩＣ２０、２１に供給し、電圧の制御をデジタルのまま行っているため、電圧の細かい制御が可能となるとともに、熱の発生が少ないためヒートシンクを小さくすることができ、装置の軽量化を達成することが可能である。
【００４１】
なお、図において２２は、メイン電源の直流２４Ｖを確実にトランジスタ１７より出力するためのＤＣ／ＤＣコンバータであり、このＤＣ／ＤＣコンバータ２２は、制御用電圧として直流２９Ｖを生成し、この直流２９Ｖを前記第１のＩＣ２０に供給し、メイン電源の直流２４Ｖを確実に出力可能としている。即ち、第１のＩＣ２０からの出力を直流２９Ｖ程度にしない場合には、各種の抵抗等の影響により、第１のトランジスタ１７から直流２４Ｖを出力することが困難になってしまう。そこで本実施例においては、制御用電圧として直流２９Ｖを生成してこの直流２９Ｖを、第１のＩＣ２０に供給し、メイン電源の直流２４Ｖを確実に出力可能としている。
【００４２】
次に、図４において２３は高圧電位発生手段である。即ち、本実施例においては、前記電圧制御手段１に高圧電位発生手段２３が接続されており、前記電圧制御手段１６からの出力が高圧電位発生手段２３において高圧に変換される。
【００４３】
ここで、前記高圧電位発生手段２３について図６を参照して説明すると、図６は、前記高圧電位発生手段２３の構成を説明するためのブロック図であり、図において、前記高圧電位発生手段２３は、前記電圧制御手段６で生成された波形を高電圧にするための高電圧生成回路２４を有している。
【００４４】
ここで、前記高電圧生成回路２４について説明すると、本実施例において前記高電圧生成回路２４は、前記マイコン１２の制御によって、前記電圧制御手段１６からの出力をパルス状に変換するパルス変換回路２５を有している。
【００４５】
そして、このパルス変換回路２５にはトランス２６が接続されており、このトランス２６において、前記パルス変換回路２５においてパルス状に変換された電圧が、約１００倍に拡大される。なお、図９は、前記高電圧生成回路２４における出力例を示した波形であり、前記高電圧生成回路２４では、前記電圧制御回路１６からの出力をパルス状に変換し、この電圧を１００倍にした後に、逓倍回路に出力する。
【００４６】
次に、図において２７が逓倍回路であり、本実施例において前記逓倍回路２７は、プラス側逓倍回路２７ａとマイナス側逓倍回路２７ｂを有している。そして、交流を出力する場合には、プラス側逓倍回路２７ａにおいて、前記高電圧生成回路２４の出力のプラス側の電圧が拡大され、マイナス側逓倍回路２７ｂにおいては、前記高電圧生成回路２４の出力のマイナス側の電圧が拡大されて出力される。この逓倍回路２７の出力例が図１０であり、（ａ）がプラス側逓倍回路２７ａの出力例、（ｂ）がマイナス側逓倍回路２７ｂの出力例である。
【００４７】
なお、本実施例において前記逓倍回路２７は、コッククロフト・ウォルトン回路を用いており、この逓倍回路２７においては、前記高電圧生成回路２４の出力が約３倍の電圧に変換される。
【００４８】
次に、前記逓倍回路２７には、プラス側出力制御回路２８ａとマイナス側出力制御回路２８ｂを有した出力制御回路２８が接続されており、前記プラス側逓倍回路２７ａにプラス側出力制御回路２８ａが接続され、マイナス側逓倍回路２７ｂにマイナス側出力制御回路２８ｂが接続され、それぞれ、逓倍回路２７の出力が供給される。
【００４９】
そして、プラス側出力制御回路２８ａとマイナス側出力制御回路２８ｂはそれぞれ、治療対象に交流を加えるときに、前記マイコン１２による制御に基づき、プラス側逓倍回路２７ａとマイナス側逓倍回路２７ｂの出力を交互に出力して制御波形を生成する。即ち、プラス側出力制御回路２８ａとマイナス側出力制御回路２８ｂが生成する制御波形は、それぞれ、１泊おきの出力となる。一方、被治療者に直流を加えるときには、出力制御回路２８は、マイナス側の逓倍回路２７ｂの出力波形を出力する。
【００５０】
次に前記出力制御回路２８は、治療対象に交流を加えるときには、生成した制御波形について、ゼロ点を合成することで交流波形を生成して出力する。なお、前記制御波形を示した図が図１１であり、（ａ）がプラス側出力制御回路２８ａの制御波形、（ｂ）がマイナス側出力制御回路２８ｂの制御波形である。また、図１２は、制御波形のゼロ点を合成することで生成した交流波形を示している。
【００５１】
そして、前記出力制御回路２８の出力は、前記通電マット２に供給され、これにより、通電マット２を介して治療対象に高圧の電位を供給して電位治療を行うことを可能にしている。
【００５２】
次に、このように構成される本実施例の高圧電位治療器１の作用について図７のフローチャートを用いて説明すると、電源スイッチ３１をオンにした状態で、ステップ１において、モードスイッチ３２により交流直流の種類、電圧値等を設定した後に、ステップ２において開始スイッチ３３をオンにすると、本実施例の電位治療器１が作動を開始する。
【００５３】
即ち、ステップ３において、前記バッテリー１３から出力された直流電源が、  前記メイン電源用ＤＣ／ＤＣコンバータ１４において任意の電圧に変換され、メイン電源として電圧制御手段１６に供給され、一方、制御電源用ＤＣ／ＤＣコンバータ１５においては、前記バッテリー１３から出力された直流電源は直流３．３Ｖに変換されて前記マイコン１２に供給される。
【００５４】
次に、電圧制御手段１６に供給されたメイン電源は、ステップ４において、電圧制御手段１６において所望する電圧に制御される。即ち、前述したように、使用者の選択に応じて、マイコン１２から制御用ＩＣ２０、２１に対して制御信号が出力され、それに応じて制御用ＩＣ２０、２１がトランジスタ１７、１８のスイッチングを行い、これにより、メイン電源としての電圧が所望する電圧に変換されて出力される。そしてこのとき、交流を出力する場合には、電圧制御手段１６からは、図８に示すように、所定の電圧のサイン波に類似したプラス側の波形が生成されて出力される。
【００５５】
なおこのとき、前述のように、本実施例においては、電圧制御手段１６にＤＣ／ＤＣコンバータ２２を備えており、このＤＣ／ＤＣコンバータ２２において、制御用電圧を生成し、この制御用電圧を前記第１のＩＣ２０に供給しているために、メイン電源の電圧が確実にトランジスタより出力される。
【００５６】
次に、電圧制御手段１６によって所望する電圧に制御されたメイン電源は、高圧電位発生手段２３に供給され、高圧電位発生手段２３において高圧に変換される。即ち、ステップ５において、パルス変換回路２５において、電圧制御手段１６からの出力がパルス状に変換され、次に、パルス状に変換された電圧がステップ６において、トランス２６において約１００倍に拡大されて出力される。図９がトランス２６の出力例である。
【００５７】
そして次に、トランスで約１００倍に昇圧された電源は、ステップ７において約３倍に逓倍される。即ち、交流を出力する場合には、プラス側逓倍回路２７ａにおいてプラス側の電圧が拡大されるとともに、マイナス側逓倍回路２７ｂおいてマイナス側の電圧が拡大され、図１０に示すように、拡大されたプラス波形及びマイナス波形のそれぞれが出力され、一方、直流を出力する場合には、マイナス側逓倍回路２７ｂが機能して、マイナス側の電圧が拡大されて出力される。
【００５８】
次に、治療対象に交流を加えるときには、ステップ８において、出力制御回路２８により、逓倍回路２７で約３倍されて出力されたプラス波形、マイナス波形について、図１１に示すように、拡大した波形を交互に出力して制御波形を生成し、更に、それぞれの制御波形について、ゼロ点を合成することで、図１２に示すような交流波形を生成して、ステップ９において、導線５によって通電マット２に出力される。また、治療対象に直流を加えるときには、マイナス側の逓倍回路２７ｂの出力が、導線５によって通電マット２に出力される。なお本実施例では、最大の１，０００Ｖを出力する場合には、電圧制御手段１６において約３．３３Ｖの電圧を生成し、高電圧生成回路において３３３Ｖの電圧に変換し、更に逓倍回路２７において約１，０００Ｖの電圧を生成することとしている。
【００５９】
このように、本実施例の電位治療器では、高圧電位を供給する治療器本体１１を通電マット２に取り付け、治療器本体１１で生成した高圧電位を通電マット２から治療対象に加えることを可能にしているとともに、通電マット２を円筒形状に変形させてその状態を維持可能としているため、通電マット２を腕や胴に巻きつけることで、家事等を行いながらの電位治療や、ペットへの電位治療を行うことが可能である。そしてこのとき、本実施例の電位治療器では、電源としてバッテリーを用いているため、治療器から電線が出ることが無く、従って、電位治療を行いながら自由に歩くこともでき、更に、ペットに取り付けた場合もペットが自由に動き回ることができるので、ペットに対しても有効な電位治療を行うことが可能である。
【００６０】
また、本実施例の電位治療器では、バッテリーからの電源の電圧を予め設定した電圧に制御し、その後に、この電源を高圧の直流又は交流に変換することで、大型のトランスを用いずに電源電圧を高圧に変換可能としたデジタル型の電位治療器を採用しているため、治療器本体を軽量化しているために、家事等をしながらの電位治療やペットに対する電位治療を容易に行うことが可能である。
【産業上の利用可能性】
【００６１】
本発明の電位治療器では、軽量化するとともに身体への装着を可能にすることで、家事等を行いながらの電位治療やペットに対する電位治療を可能にしているため、装着型電位治療器の全般に適用可能である。
【符号の説明】
【００６２】
１    電位治療器
２    通電マット
３    通電領域
４    絶縁領域
５    導線
６    アース
７    面ファスナー
１１    治療器本体
１２    マイコン
１３    バッテリー
１４    メイン電源用ＤＣ／ＤＣコンバータ
１５    制御用ＤＣ／ＤＣコンバータ
１６    電圧制御手段
１７    第１のトランジスタ（ＦＥＴ１）
１８    第２のトランジスタ（ＦＥＴ２）
１９    平滑回路
２０    第１の制御用ＩＣ
２１    第２の制御用ＩＣ
２２    ＤＣ／ＤＣコンバータ
２３    高圧電位発生手段
２４    高電圧生成回路
２５    パルス変換回路
２６    トランス
２７    逓倍回路
２７ａ  プラス側逓倍回路
２７ｂ  マイナス側逓倍回路
２８    出力制御回路
２８ａ  プラス側出力制御回路
２８ｂ  マイナス側出力制御回路
３１    電源スイッチ
３２    モードスイッチ
３３    開始スイッチ
３４    表示手段
３５    スピーカー
【図１】
2019092952.tif 000003
【図２】
2019092952.tif 000004
【図３】
2019092952.tif 000005
【図４】
2019092952.tif 000006
【図５】
2019092952.tif 000007
【図６】
2019092952.tif 000008
【図７】
2019092952.tif 000009
【図８】
2019092952.tif 000010
【図９】
2019092952.tif 000011
【図１０】
2019092952.tif 000012
【図１１】
2019092952.tif 000013
【図１２】
2019092952.tif 000014